(57)【特許請求の範囲】
【請求項１】
各鼻腔の内側上部に位置し、鼻筋を外側に押し付けて鼻筋を高くし、鼾掻きを防止するための一対の内側圧迫具が両側の弾持幹の上端部にそれぞれ付着される挿入補形手段と、前記内側圧迫具が接触する位置を調節するための位置調節手段と、前記内側圧迫具が鼻腔の内側上部に安定に接触し得るように鼻の下部と上唇との間に接触する接触支持手段とを含んでなり、
前記位置調節手段は、前記両側弾持幹の移動を案内し傾斜部を有する案内溝が上面に形成されると共に前記接触支持手段の接触翼部に後面部が付着されるハウジングと、前記ハウジングの内部中間に回転可能に結合される調節ボルトと、前記調節ボルトが中間部に螺合され、調節ボルトを回転させることにより直線移動可能に結合され、前記両側弾持幹の下端部に形成された円形リングがボルトで回転可能に結合される移動板と、前記ハウジングの前面部に突出する調節ボルトの端部に固定される調節ノブとから構成され、前記両側案内溝の両側傾斜部は、前方へ間隔が狭くなるように形成されていることを特徴とする鼾掻き防止及び鼻補形器。
【請求項２】
各鼻腔の内側上部に位置し、鼻筋を外側に押し付けて鼻筋を高くし、鼾掻きを防止するための一対の内側圧迫具が両側の弾持幹の上端部にそれぞれ付着される挿入補形手段と、前記内側圧迫具が接触する位置を調節するための位置調節手段と、前記内側圧迫具が鼻腔の内側上部に安定に接触し得るように鼻の下部と上唇との間に接触する接触支持手段とを含んでなり、
前記位置調節手段は、前記接触支持手段の接触翼部と固定部との間の両端部に捻り案内レールが固定され、中間部に調節ボルトが固定され、前記調節ボルトに結合される調節ナットが移動板の中間部に回転可能に結合され、前記移動板の両端部には両側捻り案内レールに摺動可能に結合されるブッシングが結合されるとともに、前記両側ブッシングの外周面には前記弾持幹の下端部が固定されて構成され、前記両側捻り案内レールは、固定部側が内側に螺旋状に捻られて形成されていることを特徴とする鼾掻き防止及び鼻補形器。
【請求項３】
各鼻腔の内側上部に位置し、鼻筋を外側に押し付けて鼻筋を高くし、鼾掻きを防止するための一対の内側圧迫具が両側の弾持幹の上端部にそれぞれ付着される挿入補形手段と、前記内側圧迫具が接触する位置を調節するための位置調節手段と、前記内側圧迫具が鼻腔の内側上部に安定に接触し得るように鼻の下部と上唇との間に接触する接触支持手段とを含んでなり、
前記位置調節手段は、後端部が固定部に連結され、傾斜拡開部を有し目盛りが上面に形成される両側案内レールが前記接触支持手段の接触翼部に結合され、前記接触翼部と固定部との間の中間部には調節ボルトが固定され、前記移動板の中間部には前記調節ボルトに螺合される調節ナットが回転可能に結合され、前記移動板の両端部には前記両側案内レールに摺動可能に結合されるブッシングが結合されるとともに、前記両側ブッシングの外周面には弾持幹の下端部が固定されて構成され、前記両側案内レールの両側傾斜拡開部は
、接触翼部側へ間隔が広くなるように形成されていることを特徴とする鼾掻き防止及び鼻補形器。
【請求項４】
前記捻り案内レールは角形に形成され、15度乃至65度の範囲で捻られ、前記弾持幹及び内側圧迫具がこの範囲で回動するように構成されたことを特徴とする請求項２記載の鼾掻き防止及び鼻補形器。
【発明の詳細な説明】
（技術分野）
本発明は着用することにより、鼾掻きを防止鼻の形を補正し得るようにした鼾掻き防止及び鼻補形器に関する。
（背景技術）
一般に、鼻筋を高く立てるためにいろいろな美容成形方法が開発されたが
、手術によらない方法は殆どなく、手術によって鼻筋を高くする鼻成形方法は手術の後いろいろな副作用が起こり且つ多くの費用を要するという問題点がある。
そして、手術をせず形を補正する鼻成形器が韓国実用新案公開番号第86−12991号に開示されているが、このような鼻成形器はピンセットの形を取っており、鼻の端を把持して鼻筋を立てるようになっているが、ピンセットによって鼻の端部が圧着されるため、長時間使用時にその跡が残り、なお血液の循環を妨害するという問題点があった。
一方、睡眠中に鼾を掻いて周りの人に影響を与える鼾掻きを防止するため
、従来の鼻腔手術を用いたが、鼻成形手術と同様に鼻腔手術は心理的な負担感と金銭的な負担感で、極めて激しい場合を除いては一般化し難い。
従って、鼻孔の近くに挿入させて鼻腔内表皮の震えを防止するようにした鼾掻き防止装置が知られているが、鼾掻き防止効果が微々であるという問題点があった。
（発明の開示）
本発明はかかる問題点を改善するためのもので、その目的は簡便に着用して鼻の端を鼻腔内部から外側に押し付けることにより、鼻の鼻腔体積を増やし且つ鼻筋が高くなるようにするための鼾掻き防止及び鼻補形器を提供することにある。
前記目的を達成するために、本発明の一実施例は、各鼻腔の内側上部に位置し、鼻筋を外側に押し付けて鼻筋を高くし、鼾掻きを防止するための一対の内側圧迫具が両側の弾持幹の上端部にそれぞれ付着される挿入補形手段と
、前記内側圧迫具が接触する位置を調節するための位置調節手段と、前記内側圧迫具が鼻腔の内側上部に安定に接触し得るように鼻の下部と上唇との間に接触する接触支持手段とを含んでなり、前記位置調節手段は、前記両側弾持幹の移動を案内し傾斜部を有する案内溝が上面に形成されると共に前記接触支持手段の接触翼部に後面部が付着されるハウジングと、前記ハウジングの内部中間に回転可能に結合される調節ボルトと、前記調節ボルトが中間部に螺合され、調節ボルトを回転させることにより直線移動可能に結合され、前記両側弾持幹の下端部に形成された円形リングがボルトで回転可能に結合される移動板と、前記ハウジングの前面部に突出する調節ボルトの端部に固定される調節ノブとから構成され、前記両側案内溝の両側傾斜部は、前方へ間隔が狭くなるように形成されていることを特徴とする鼾掻き防止及び鼻補形器を提供する。
また、本発明の他の実施例は、各鼻腔の内側上部に位置し、鼻筋を外側に押し付けて鼻筋を高くし、鼾掻きを防止するための一対の内側圧迫具が両側の弾持幹の上端部にそれぞれ付着される挿入補形手段と、前記内側圧迫具が接触する位置を調節するための位置調節手段と、前記内側圧迫具が鼻腔の内側上部に安定に接触し得るように鼻の下部と上唇との間に接触する接触支持手段とを含んでなり、前記位置調節手段は、前記接触支持手段の接触翼部と固定部との間の両端部に捻り案内レールが固定され、中間部に調節ボルトが固定され、前記調節ボルトに結合される調節ナットが移動板の中間部に回転可能に結合され、前記移動板の両端部には両側捻り案内レールに摺動可能に結合されるブッシングが結合されるとともに、前記両側ブッシングの外周面には前記弾持幹の下端部が固定されて構成され、前記両側捻り案内レールは
、固定部側が内側に螺旋状に捻られて形成されていることを特徴とする鼾掻き防止及び鼻補形器を提供する。
本発明のまた他の実施例は、各鼻腔の内側上部に位置し、鼻筋を外側に押し付けて鼻筋を高くし、鼾掻きを防止するための一対の内側圧迫具が両側の弾持幹の上端部にそれぞれ付着される挿入補形手段と、前記内側圧迫具が接触する位置を調節するための位置調節手段と、前記内側圧迫具が鼻腔の内側上部に安定に接触し得るように鼻の下部と上唇との間に接触する接触支持手段とを含んでなり、前記位置調節手段は、後端部が固定部に連結され、傾斜拡開部を有し目盛りが上面に形成される両側案内レールが前記接触支持手段の接触翼部に結合され、前記接触翼部と固定部との間の中間部には調節ボルトが固定され、前記移動板の中間部には前記調節ボルトに螺合される調節ナットが回転可能に結合され、前記移動板の両端部には前記両側案内レールに摺動可能に結合されるブッシングが結合されるとともに、前記両側ブッシングの外周面には弾持幹の下端部が固定されて構成され、前記両側案内レールの両側傾斜拡開部は、接触翼部側へ間隔が広くなるように形成されていることを特徴とする鼾掻き防止及び鼻補形器を提供する。
【図面の簡単な説明】
【図１】図１乃至図９は本発明の鼾掻き防止及び鼻補形器に関する図であり、図１は本発明の一実施例を示すもので、図1aは斜視図、図1bは使用状態を示す縦断面図である。
【図２】図２は位置調節手段の参考例を示す斜視図である。
【図３】図３は鼻上部補形手段の他の実施例を示すもので、図3aは斜視図、図3bは使用状態を示す縦断面図である。
【図４】図４は位置調節手段のまた他の実施例を示すもので、図4aは斜視図、図4bは平面図、図4cは部分横断面図、図4d、図4eは作用説明図である。
【図５】図５は位置調節手段のまた他の実施例を示すもので、図5aは平面図、図5bは部分横断面図である。
【図６】図６は位置調節手段の他の参考例を示すもので、図6aは平面図、図6bは部分縦断面図である。
【図７】図７は他の参考例を示すもので、図7aは斜視図、図7bは部分切欠側面図、図7cは使用状態を示す部分切欠側面図である。
【図８】図８はまた他の参考例を示すもので、図8aは正面図及び部分平面図、図8bは使用状態を示す部分切欠側面図である。
【図９】図９はまた他の参考例を示すもので、図9aは斜視図、図9bは内側圧迫具弾持要の縦断面図、9c図は使用状態を示す正面図、図9dは使用状態を示す縦断面図、図9eは使用状態を示す底面図である。
【発明を実施するための最良の形態】
以下、本発明の実施例を添付図に基づいて詳細に説明する。
図1aは本発明の一実施例を示す斜視図、図1bは本発明の一実施例の使用状態を示す断面図である。図１に示すように、本発明による鼾掻き防止及び鼻補形器の一実施例は配置調節手段100、挿入補形手段110、接触支持手段120及び鼻上部補形手段130からなる。
前記挿入補形手段110は両側の鼻孔を通して内部に挿入され、鼻の内側上部に接触して外側に押し付けることにより、鼻筋を高くし且つ鼾掻きを防止するための一対の内側圧迫具111が弾持幹113の上端部に付着している。
前記弾持幹113は上端部に固定された内側圧迫具111が鼻の内側上部に接触できるように折曲部115が形成され、下端部は位置調節手段100に連結される。前記内側圧迫具111は弾性をもちながら、人体に害を与えない材質、例えばシリコンからなる。
前記位置調節手段100は前記内側圧迫具111の接触する位置を調節する位置を調節するためのものである。
前記位置調節手段100は、前記両側弾持幹113が移動するための案内溝103が上面に形成されたハウジング102と、前記ハウジング102の内部中間に回転可能に結合される調節ボルト105と、前記調節ボルト105が中間部に螺合され、調節ボルト105を回転させることにより直線移動可能に結合され、前記両側弾持幹113の下端部に形成された円形リング108がボルト107に回転可能に両端部に結合される移動板106と、前記ハウジング102の前面部に突出する調節ボルト105の端部に固定される調節ノブ101とから構成されている。
前記両側案内溝103は後方部から前方に進みながら段々間隔が狭くなる傾斜部104が形成され、前方部は間隔が狭く形成されることにより、両側内側圧迫具111を鼻の内部に挿入し、調節ノブ101を回転させることにより両側弾持幹113が前方に移動すると、両側の内側圧迫具111が狭くなりながら鼻の内面上部に接触して鼻筋を高く立てることになる。
前記接触支持手段120は鼻の底部と上唇との間に密着し、前記両側の内側圧迫具111が鼻の内面上部に安定に接触固定されるようにするもので、前記ハウジング102の後面部に付着される接触翼部121からなっている
。
前記接触翼部121は内側面の湾曲部に一対の弾性溝123が形成されているため、接触翼部121がより安定に接触するようになっている。
前記鼻上部補形手段130は前記接触翼部121の両端部に弾持幹133の下端部がそれぞれ固定され、各弾持幹133の上端部には上側圧迫具131が付着されたもので、鼻の上部を高くするためのものである。
前記両側弾持幹133の中間部には弾性接触力を高くするために環形折曲部134がそれぞれ形成されており、また、両側の弾持幹133は接触翼部121の両端部に形成された挿入孔125に挿入及び分離可能に結合されることができる。
以下、このように構成された本発明の一実施例による鼾掻き防止及び鼻補形器の作用を図1a及び図1bを参照して説明する。
まず、使用者が接触支持手段120の接触翼部121を鼻の下部に接触させながら挿入補形手段110の内側圧迫具111を鼻孔に挿入する。
この時、前記弾持幹113は中間部に折曲部115が形成されているので
、内側圧迫具11が鼻孔に容易く挿入され、接触支持手段120はその内側面に弾性溝123が形成されているため、より弾力的に安定に密着する
。
このように鼻の内部に内側圧迫具111を挿入した後は位置調節手段100を用いて内側圧迫具111の位置を調節する。即ち、調節ボルト105の端部に固定された位置調節ノブ101を回すと、調節ボルト105が共に回転して調節ボルト105に結合された移動板106が前方に移動し、移動板106には弾持幹113の下端円形リング108がボルト107に結合されているので、前記移動板106が移動すると、弾持幹113がハウジング102の案内溝103に沿って移動する。
前記両側弾持幹113が案内溝103の傾斜部に沿って間隔が狭くなりながら移動すると、両側弾持幹113の上端部に固定された内側圧迫具111の間隔も狭くなりながら鼻の内面上部に上がって鼻筋を内側から押し付けるので、鼻筋が高くなる。
また、前記鼻上部補形手段130は両側弾性弾持幹133の上端部に固定された上側圧迫具131が鼻の上部両側部を圧迫するようになっているので
、挿入補形手段110の内側圧迫具111によって鼻筋を高くしながら、上側圧迫具131によって鼻の上部を高くする。
前記上側圧迫具131も内側圧迫具111と同様に弾性を持ちながら柔らかい材質からなるべきである。
このように本発明を使用すると、内側圧迫具111によって鼻の端を内部から外側に押し付けて鼻と鼻腔体積を増やして鼾掻きを防止すると共に、鼻筋が高くなるように誘導する。
前記位置調節手段100の参考例（比較例）は、図２に示すように、ハウジング102の前方中間部に案内溝112が固定され、案内溝112には移動板116が摺動可能に結合されており、ハウジング102の両側部には内側圧迫具111が上端部に固定された弾持幹113が摺動可能に結合されるとともに、下端部が前記上側移動板116の両端部に固定されており、移動板116とハウジング102との間の案内棒112には移動板116を前方に弾持するスプリング109が挿入され、案内溝112の外側部に形成された螺子部114には調節ノブ101が結合された構成となっている。
このような図２の参考例はハウジング102が後方部に形成された接触支持手段120の接触翼部121を鼻の下と上唇との間に接触させ、内側圧迫具111を鼻の内部に挿入させた後、調節ノブ101を解くと、移動板116がスプリング109の弾力によって前方に移動し、これにより内側圧迫部111が鼻の内面上部に弾力的に接触して外側に押し付けることになる。
図3a及び図3bには前記鼻上部補形手段130の他の実施例が示されている。図３に示されているように、ハウジング102の前面部に形成された挿入孔117に弾持幹133の下端部が挿着され、弾持幹133の下側部には環形折曲部134が形成されており、弾持幹133の上端部には鼻支持部132が固定された構成となっている。また、前記鼻支持部132は鼻の上部面に載せられるように中央部に溝が形成されている。
前記鼻上部補形手段130は、図1a、図1bに示すように、接触支持手段120の接触翼部121の両端部に形成された挿入孔125に弾持幹133を挿入するか、或いは図3a、図3bに示すように、ハウジング102の前面部に形成された挿入孔117に挿入して、挿入及び取出しに応じて選択して採用することができる。
即ち、接触翼部121の両端部に弾持幹133をそれぞれ結合して２つの上側圧迫具131を使用するか、或いはハウジング102の前面部に一つの弾持幹133を結合して鼻支持部132を使用するか、或いは鼻上部補形手段130を全く使用しないこともできる。
この実施例は弾持幹133の上端部に結合された鼻支持部132を図3bに示すように鼻の上部に接触させて利用し、前記弾持幹133の弾力は下側部に形成された環形折曲部134によって強く或いは弱く作用するように調節して使用する。そして、この他に構成及び作用は図1a、図1bの実施例と同一である。
図４は位置調節手段のまた他の実施例を示すもので、図4aには斜視図、図4bには平面図がそれぞれ示されており、図4cには部分横断面図、図4d及び図4eには作用説明図がそれぞれ示されている。
図４に示すように、前記位置調節手段100のまた他の実施例はピッチの長い螺旋状に捻られた捻り案内レール204が接触支持手段120の接触翼部121と固定部202との間の両端部に固定され、中間部に調節ボルト205が固定されており、移動板206の中間部には調節ボルト205に結合される調節ナット201が回転可能に結合され、移動板206の両端部には両側捻り案内レール204に摺動可能に結合されるブッシング203が結合されるとともに、両側ブッシング203が外周面には弾持幹113の下端部が固定された構成となっている。
このようになされる前記位置調節手段100のまた他の実施例の作用を図4a乃至図4eを参照して説明する。
この位置調節手段100を使用する時には接触支持手段120の接触翼部121を鼻の下部に接触させ、鼻孔に内側圧迫具111を挿入した後、前記調節ナット201を回転させて移動板206を前方に移動させると、移動板206の両端部に結合されたブッシング203が両側捻り案内レール204に沿って前方に移動しながら螺旋面によって回転し、両側ブッシング203の外周面に弾持幹113の下端が固定されているので、両側弾持幹113が
ブッシング203と共に回転して、図4dに示すように平行に開いている状態で図4eに示すように両端弾持幹113の上端部に固定された内側圧迫具111が狭まりながら鼻の内側上部に接触する。
そして、調節ナット201を引き続き回転させると、内側圧迫具111が鼻の内面上部を外側に押し付けることになって、鼻腔体積を延ばして鼾掻きを防止し、鼻筋を高くする。
前記捻り案内レール204は角形に形成され、例えば螺旋面傾斜面が15度乃至65度範囲で捻られ、弾持幹113及び内側圧迫具111が15度乃至65度の範囲で使用するに適した角度で回転するように形成される。
前記位置調節手段100のまた他の実施例は、図5a及び図5bに示すように固定部202で連結され、傾斜拡開部225を有し、目盛り222が上面に形成される両側案内レール223が接触支持手段120の接触翼部121に結合され、接触翼部121と固定部202との間の中間部には調節ボルト205が固定されており、移動板206の中間部には前記調節ボルト205に螺合される調節ナット201が回転可能に結合され、移動板206の両端部には両側案内レール223に摺動可能に結合されるブッシング224が結合されるとともに、両側ブッシング224の外周面には弾持幹113の下端部が固定された構成となっている。
図5a、図5bの符号221、226は移動板206の上面部に前記調節ナット201と弾持幹113が突出するように形成された通孔を示すものである。
前記両側案内レール223は接触翼部121から遠く離れている部分が殆ど平行に形成され、中間部から接触翼部121へ行きながら段々間隔が広くなる傾斜拡開部225が形成されており、両側案内レール223に目盛り222が形成され、内側圧迫具111の移動量を測定し得るので、鼻の補形を目盛り222を見ながら便利に行うことができる。
以下、このようになされる前記位置調節手段100のまた他の実施例の作用を図5a及び図5bを参照して説明する。
この位置調節手段100の他の実施例を使用する時には鼻孔に内側圧迫具111を挿入した後、調節ナット201を回転させて移動板206を接触支持手段120から離れるように移動させると、両側ブッシング224が案内レール223に沿って摺動することになる。そして、案内レール223の傾斜拡開部225を通過しながら両側弾持幹113の間隔が段々狭くなるので
、弾持幹113の上端部に固定された内側圧迫具111が狭まりながら位置が調節されて鼻の内側上部に安定に接触し、以後調節ナット201をある程度さらに回転させると、内側圧迫具111が鼻筋の内側部を外側に押し付けるので、鼻腔体積を増やして鼾掻きを防止し、鼻筋を高く立てることになる
。
前記位置調節手段100のまた他の参考例（比較例）は、図6a、図6bに示すように、ハウジング102の内側中間部に軸235が結合され、軸235の中間部に角度調節ギヤ233が固定されており、前記軸235の両側部には上側部通孔236を通して挿入される弾持幹113の下端部が固定され、前記軸235の中間部には調節レバー231が固定されてハウジング102の外側に突出しており、前記角度調節ギヤ233の下部にはストッパ232がスプリング234によって上側に弾持されるように結合されている。
このようになされる位置調節手段のまた他の参考例の作用を図6a、図6bを参照して説明する。
このまた他の参考例の位置調節手段100は、接触支持手段120を鼻の下部に接触させ、両側内側圧迫具111を鼻孔に挿入した後、角度調節レバー231を調節すると、前記弾持幹113が前方に回動し、弾持幹113の端部に固定された内側圧迫具111が共に回動して鼻の内側上部に接触し外側に押し付けるので、鼻腔体積を増やして鼾掻きを防止し、鼻筋を高く立てることになる。
図７は鼾掻き防止及び鼻補形器の他の参考例（比較例）を示す斜視図を示すもので、図7bは部分切欠側面図、図7cは使用状態を示す部分切欠側面図をそれぞれ示す。図７に示すように、各鼻腔側上部に位置して鼻筋を押し付けて鼻筋を高くし、鼾掻きを防止するための内側圧迫具111付きの弾持幹が位置を調節するための弾性支持幹300に一体に連結された構成となっている。
前記弾持幹113はほぼＶ字形に折り曲げられ、中間部に折曲部115をもっており、前記弾性支持幹300はほぼＶ宇形に折り曲げられ、支持部301と弾持部302が備えられると共に、中間部に折曲部303が備えられ
、支持部31と弾持部302には把持部304、305がそれぞれ備えられている。そして、前記支持部301には顔の鼻溝の形に対応するように湾曲部を成すパッドを付着することもできる。
次に、このようになされる鼾掻き防止及び鼻補形器の作用を図7a、図7b、図7cを参照して説明する。
このような鼾掻き防止及び鼻補形器を使用する時には弾性支持幹300の両側把持部304、305を手に取って支持部301と弾持部302を窄め
、内側圧迫具111と共に鼻孔へ図7cに示すように挿入した後、指を放すと、前記弾性支持幹300の支持部301と弾持部302が復原弾力によって開きながら、内側圧迫具111が鼻の内側上部に接触して鼻筋を押し付けることにより、鼻筋を高くし鼾掻きを防止することになる。
図８はまた他の参考例（比較例）を示すもので、図8aは正面図及び部分平面図を示し、図8bは使用状態を示した部分切欠側面図を示す。
図８に示すように、鼾掻き防止及び鼻補形器のまた他の参考例は、各鼻腔内側上部に位置して鼻筋を押し付けることにより鼻筋を高くし鼾掻きを防止するための一対の内側圧迫具111が一対の弾持幹113の端部に付着し、その内側部に折曲部115が形成されており、両側弾持幹113には軸支部403が中間に備えられるように支え台401がそれぞれ一体に連結されるとともに、両側支え台401には凸凹部404が形成され、位置を調節するための調節具410の内部に両側弾持幹113と支え台401がそれぞれ差し込まれて調節具410を移動させることにより、弾持幹113と支え台401の間隔が調節されるようになっている。
前記軸支部403には鼻筋支持具420の両側面に突出形成された軸突起421が挿入され、鼻筋支持具420が回転可能に結合され、前記支え台401の中間部には鼻の下部に接触する接触支持用パッド402が付着している。
次に、このようになされる鼾掻き防止及び鼻補形器のまた他の参考例の作用を図8a及び図8bを参照して説明する。
この他の参考例は、図8bに示すように内側圧迫具111を鼻孔内に挿入し、接触支持用パッド402を鼻の下部に接触させると共に、鼻筋支持具420を鼻の上部に接触させた後、調節具410を前後に移動させて弾持幹113の高さを調節することにより、内側圧迫具111を鼻の内側上部に安定に接触させる。
この時、調節具410を接触支持用パッド402側に移動させると、内側圧迫具111の接触する位置が低くなり、調節具410を鼻筋支持具420側に移動させると、内側圧迫具111の高さが高くなりながら鼻筋を押し付ける力が強くなる。
前記内側圧迫具111の位置を調節する調節具410はその内側下部が前記支え台401の凸凹部404と対応するように形成されているので、調節具410の位置が調節された後には左右に無断に離脱することなく調節された位置が安定に保持される。
一方、磁石敷き布団や磁石首飾りなどのような効果のために前記鼻筋支持具413に磁石を設置することもできる。
図９はまた他の参考例（比較例）を示すもので、図9aには斜視図が、図9bには圧迫具弾持要素の縦断面図がそれぞれ示されており、図9cには使用状態を示す正面図、図9dには使用状態を示す縦断面図、図9eには使用状態を示す底面図がそれぞれ示されている。
図９に示すように、鼾掻き防止及び鼻補形器のまた他の参考例における位置調節手段100は、各鼻腔内側上部に位置して鼻筋を押し付けることにより鼻筋を高くし、鼾掻きを防止するための内側圧迫具111が弾持幹113の上端部に付着し、ハウジング102に後方面には一対の支持幹501が結合されており、各支持幹501の先端部には圧迫具弾持要素510が固定され、各圧迫具弾持要素510の先端部に前記弾持幹113が固定された構成となっている。
そして、鼻上部補形手段130はハウジング102の両側面に弾持幹520の一端部がそれぞれ固定され、弾持幹520の他端部には上側圧迫具521が付着された構成となっている。
ここで、前記圧迫具弾持要素510は内部管511が外部管512の内部に伸縮可能に結合され、内部管511の内部には上側に弾持するスプリング513が挿入された構成となっている。この圧迫具弾持要素510は２段伸縮折綴構造の他に多段伸縮折綴構造にしてもよい。
前記ハウジング102と上側圧迫具521は顔に接触する部分であって、柔らかい材質で作るか上に被せる。
このようになされる鼾掻き及び鼻補形器のまた他の参考例の作用を図9a
、図9b、及び図9cを参照して説明する。
このまた他の参考例は内側圧迫具111を押し付けて圧迫具弾持要素510の内、外部管511、512が縮小された状態で内側圧迫具111を鼻孔に挿入しておくと、圧迫具弾持要素510の内、外部管511、512がスプリング513の復原弾力によって伸張されながら内側圧迫具111が鼻の内側上部に弾力的に接触し、且つハウジング102の両側部に結合された両側弾持幹520に上側圧迫具521が付着し、この上側圧迫具521が鼻筋の上側部の両側に弾力的に接触するので、一定期間反復的に着用すると、鼻腔の体積を増やして鼾掻きを防止し、鼻筋を高くすることができる。
産業上の利用可能性
このように本発明による鼾掻き防止及び鼻補形器は、圧迫具を用いて鼻の端を鼻腔の内部から顔の前面に押し付けて鼻腔の体積を増やすことにより、さらに呼吸し易くし、鼾掻きを防止することができると共に鼻筋が高く立てるように誘導する効果がある。
【図１（ａ）】
0003550596.tif 000002
【図２】
0003550596.tif 000003
【図４（ｄ）】
0003550596.tif 000004
【図４（ｅ）】
0003550596.tif 000005
【図１（ｂ）】
0003550596.tif 000006
【図４（ａ）】
0003550596.tif 000007
【図７（ｂ）】
0003550596.tif 000008
【図９（ｄ）】
0003550596.tif 000009
【図３（ａ）】
0003550596.tif 000010
【図４（ｂ）】
0003550596.tif 000011
【図４（ｃ）】
0003550596.tif 000012
【図８（ｂ）】
0003550596.tif 000013
【図３（ｂ）】
0003550596.tif 000014
【図５（ａ）】
0003550596.tif 000015
【図５（ｂ）】
0003550596.tif 000016
【図９（ｃ）】
0003550596.tif 000017
【図６（ａ）】
0003550596.tif 000018
【図６（ｂ）】
0003550596.tif 000019
【図８（ａ）】
0003550596.tif 000020
【図７（ａ）】
0003550596.tif 000021
【図７（ｃ）】
0003550596.tif 000022
【図９（ａ）】
0003550596.tif 000023
【図９（ｂ）】
0003550596.tif 000024
【図９（ｅ）】
0003550596.tif 000025